(57)【要約】      （修正有）【課題】ケース中及びケース上を用いてＬＣＤユニットを固定するＬＣＤユニット固定構造を提供する。【解決手段】ケース上及びケース下でＬＣＤユニットが実装されたケース中を挟み込んで固定するＬＣＤユニット固定構造において、ケース中にＬＣＤユニットを固定するにあたり、ケース中には、ＬＣＤユニットを固定するための固定部と、固定部に固定されたＬＣＤユニットを奥行き方向で固定するＬＣＤユニット固定板を備え、ケース中とＬＣＤユニット固定板の上部・下部にはそれぞれ、上側係止片と下側係止片及びそれに対応する上側係止溝と下側係止溝を備え、ケース中をケース上に嵌合した時、上側係止片がケース上の壁面に当接することにより固定する。【選択図】図１
2011175115.tif 000002
【特許請求の範囲】
【請求項１】
ケース上及びケース下でＬＣＤユニットが実装されたケース中を挟み込んで固定するＬＣＤユニット固定構造において、
前記ケース中に前記ＬＣＤユニットを固定するにあたり、
前記ケース中には、前記ＬＣＤユニットを固定するための固定部と、固定部に固定された前記ＬＣＤユニットを奥行き方向に固定するＬＣＤユニット固定板を備え、
前記ケース中と前記ＬＣＤユニット固定板の上部・下部にはそれぞれ、上側係止片と下側係止片及びそれに対応する上側係止溝と下側係止溝を備え、
ケース中をケース上に嵌合した時、前記上側係止片が前記ケース上の壁面に当接することにより固定されることを特徴とするＬＣＤユニット固定構造。
【請求項２】
前記ケース中と前記ＬＣＤユニット固定板の側面にはそれぞれ側面側係止片及びそれに対応する側面側係止溝を備え、スライド方式で固定することを特徴とする請求項１記載のＬＣＤユニット固定構造。
【請求項３】
前記ケース中と前記ＬＣＤユニット固定板は上側係止片を上側係止溝に挿入し、回動させてスライドすることで前記下側係止片が下側係止溝に挿入されて固定され、
前記上側係止溝には、前記回動を可能にするとともにＬＣＤユニットとＬＣＤユニット固定板の隙間を生じさせないように、Ｃ面形状を有することを特徴とする請求項１または請求項２記載のＬＣＤユニット固定構造。
【発明の詳細な説明】
【技術分野】
【０００１】
本発明は、ＬＣＤユニット固定構造に係り、特にケース中及びケース上を用いてＬＣＤユニットを固定するＬＣＤユニット固定構造に関する。
【背景技術】
【０００２】
従来から、ＬＣＤユニット固定構造として、従来のＬＣＤユニット固定構造は、ＬＣＤユニットをケースのツメで固定しているものがあった（例えば、特許文献１）。
このような構造によれば、複数のツメを用いて液晶ユニットを固定することができる。
【先行技術文献】
【特許文献】
【０００３】
【特許文献１】特開２００６−２３５４０７号公報
【発明の開示】
【発明が解決しようとする課題】
【０００４】
しかしながら、従来のＬＣＤユニット固定構造は、ツメにより固定しているため、各点による固定となり、衝撃があった場合には外れてしまう虞があった。
本発明は、上記難点を解決するためになされたものであって、ＬＣＤユニット固定板を用いることで面全体でＬＣＤユニットを抑え、当該ＬＣＤユニット固定板を確実にケースと固定することができるＬＣＤユニット固定構造を提供することを目的とする。
【課題を解決するための手段】
【０００５】
上述の目的を達成するため、本発明の第１の態様であるＬＣＤユニット固定構造は、ケース上及びケース下でＬＣＤユニットが実装されたケース中を挟み込んで固定するＬＣＤユニット固定構造において、ケース中にＬＣＤユニットを固定するにあたり、ケース中には、ＬＣＤユニットを固定するための固定部と、固定部に固定されたＬＣＤユニットを奥行き方向で固定するＬＣＤユニット固定板を備え、ケース中とＬＣＤユニット固定板の上部・下部にはそれぞれ、上側係止片と下側係止片及びそれに対応する上側係止溝と下側係止溝を備え、ケース中をケース上に嵌合した時、上側係止片がケース上の壁面に当接することにより固定されることを特徴とする。
【０００６】
本発明の第２の態様であるＬＣＤユニット固定構造は、ケース中とＬＣＤユニット固定板の側面にはそれぞれ側面側係止片及びそれに対応する側面側係止溝を備え、スライド方式で固定することを特徴とする。
【０００７】
本発明の第３の態様であるＬＣＤユニット固定構造は、ケース中とＬＣＤユニット固定板は上側係止片を上側係止溝に挿入し、回動させてスライドすることで下側係止片が下側係止溝に挿入されて固定され、上側係止溝には、回動を可能にするとともにＬＣＤユニットとＬＣＤユニット固定板の隙間を生じさせないように、Ｃ面形状を有することを特徴とする。
【発明の効果】
【０００８】
請求項１のＬＣＤユニット固定構造によれば、係止片及び係止溝を上下に設けたのでＬＣＤユニットの奥行き方向の固定を確実に行うことができる。
請求項２のＬＣＤユニット固定構造によれば、係止片及び係止溝を左右に設けたので請求項１に比べ、より確実にＬＣＤユニットの奥行き方向の固定を行うことができる。
請求項３のＬＣＤユニット固定構造によれば、省スペースでの固定を可能とし、かつＬＣＤユニットとＬＣＤユニット固定板の隙間を生じさせないようにすることができる。
【図面の簡単な説明】
【０００９】
【図１】本発明におけるＬＣＤユニット固定構造を用いた電子機器の概観図である。
【図２】本発明におけるＬＣＤユニット固定構造を用いた電子機器の要部分解斜視図である。
【図３】本発明におけるＬＣＤユニット固定構造を用いた電子機器の要部斜視図である。
【図４】本発明におけるＬＣＤユニット固定構造を用いた電子機器の要部斜視図である。
【図５】本発明におけるＬＣＤユニット固定構造を用いた電子機器の要部斜視図である。
【図６】本発明におけるＬＣＤユニット固定構造を用いた電子機器の要部斜視図である。
【発明を実施するための最良の形態】
【００１０】
以下、本発明のＬＣＤユニット固定構造を適用した好ましい形態の実施例について、図面を参照して説明する。
図１は、本発明のＬＣＤユニット２１の固定構造の構成を示す電子機器（インターホン親機）１の外観図である。
図２は、図１のインターホン親機１の要部分解斜視図であり、ケース上１０、ケース中２０、ＬＣＤユニット２１、ＬＣＤユニット固定板２２により構成されている。
このように構成されたインターホン親機１について、以下、ＬＣＤユニット２１を固定するための構造について説明する。
図３は、ケース中２０にＬＣＤユニット２１を取り付け、ＬＣＤユニット固定板２２でＬＣＤユニット２１を固定する前の状態を示している。ケース中２０には、ＬＣＤユニット固定板２２を固定するための上側係止溝２０１、下側係止溝２０２及び側面側係止溝２０３を備えており、ＬＣＤユニット固定板２２には、当該上側係止溝、下側係止溝及び側面側係止溝にそれぞれ対応して係止等の固定がなされる上側係止片２２１、側面側係止溝２２３を有している。
【００１１】
まず、ＬＣＤユニット２１を固定するにあたり、ケース中２０の上側係止溝２０１にＬＥＤユニット固定板２２の上側係止片２２１を斜め方向から挿入する。そして、この部位を回転軸とし回動させケース中２０とＬＣＤユニット固定板２２とでＬＣＤユニット２１を挟み込む（図４参照）。
なお、ケース中２０の回転軸部にＣ面を設けることによって、より潤滑に回動する事が可能である。
【００１２】
そして、この状態ではＬＣＤユニット固定板２２がＬＣＤユニット２１のおさえ方向の固定が配慮されていないため図４の状態からＬＣＤユニット固定板２２を下側方向にスライドさせて、ケース中２０の下側係止溝２０２及び側面側係止溝２０３にＬＣＤユニット固定板２２の下側係止溝２０２及び側面側係止溝２０３が嵌まり込むことにより奥行き方向の固定を上下左右で完全に固定する（図５参照）。
このようにＬＣＤユニット２１がケース中２０及びＬＣＤ固定ユニット固定板２２に固定された状態で、ケース上１０に取り付ける場合について説明する。
図６はケース上１０の背面側にケース中２０及びＬＣＤ固定ユニット固定板２２に固定されたＬＣＤユニット２１を取り付けた状態を示す図である。
【００１３】
ケース上１０の背面にはリブ１０１が設けられており、ケース中２０及びＬＣＤ固定ユニット固定板２２に固定されたＬＣＤユニット２１を取り付けると、ＬＣＤユニット固定板２１の上側係止片２２１がリブ１０１と当接する。これにより、ケース上１０に取り付けた状態においてＬＣＤユニット固定板２２がスライドすることがなくなるため、ＬＣＤユニット固定板２２が外れることがなくなる。最後にビス（図示せず）で固定することでケース上１０とケース中２０とが固定される。
【符号の説明】
【００１４】
１          電子機器
１０          ケース上
２０          ケース中
２１          ＬＣＤユニット
２２          ＬＣＤユニット固定板
１０１          リブ
２０１          上側係止溝
２０２          下側係止溝
２０３          側面側係止溝
２２１          上側係止片  
２２２          下側係止片
２２３          側面側係止
【図１】
2011175115.tif 000003
【図２】
2011175115.tif 000004
【図３】
2011175115.tif 000005
【図４】
2011175115.tif 000006
【図５】
2011175115.tif 000007
【図６】
2011175115.tif 000008